(57)【特許請求の範囲】
【請求項１】
インセル型タッチディスプレイパネルと第１のＦＰＣとを備えるタッチディスプレイモジュールであって、
前記第１のＦＰＣがタッチＦＰＣ部とキーＦＰＣ部とを備え、
前記タッチＦＰＣ部が前記インセル型タッチディスプレイパネルのタッチ信号線に接続され、インセル型タッチディスプレイパネルのタッチ機能を実現することに用いられ、前記キーＦＰＣ部が非表示領域のタッチキーのタッチ機能を実現することに用いられ、
前記キーＦＰＣ部が、タッチ機能領域を備え、前記第１のＦＰＣの前記キーＦＰＣ部以外の他の部の少なくとも一部と重なるように、前記キーＦＰＣ部のタッチ機能領域が、前記第１のＦＰＣの観察側に屈曲し、
前記タッチＦＰＣ部の一部が、前記第１のＦＰＣの前記観察側と反対側の前記第１のＦＰＣの裏側に屈曲する、タッチディスプレイモジュール。
【請求項２】
前記第１のＦＰＣがさらにキーランプＦＰＣ部を備え、前記キーランプＦＰＣ部がキーランプと前記キーランプに接続される線路とを備える、請求項１に記載のタッチディスプレイモジュール。
【請求項３】
さらに導光フィルムを備え、
前記キーランプ及び前記導光フィルムが前記タッチキーに均一なバックライトを供給し、
前記キーランプが導光フィルムの長辺側又は短辺側に設置される、請求項２に記載のタッチディスプレイモジュール。
【請求項４】
前記タッチＦＰＣ部が、接続領域、配線領域、屈曲領域、素子領域及び結合領域を備え、前記接続領域、前記タッチ機能領域、前記配線領域、前記屈曲領域、前記素子領域及び前記結合領域が相互接続される、請求項１に記載のタッチディスプレイモジュール。
【請求項５】
前記接続領域内に前記インセル型タッチディスプレイパネルのタッチ信号線に接続された端子が設置され、
前記タッチ機能領域内に前記タッチキーの機能モジュールが設置され、
前記素子領域内にタッチチップ及び関連部品が設置され、
前記結合領域内に信号を出力するための端子が設置される、請求項４に記載のタッチディスプレイモジュール。
【請求項６】
前記接続領域が前記タッチ機能領域の一側に設置される、請求項４又は５に記載のタッチディスプレイモジュール。
【請求項７】
前記第１のＦＰＣが前記屈曲領域で折られ、前記素子領域を前記インセル型タッチディスプレイパネルの裏面に組み立てる、請求項４又は５に記載のタッチディスプレイモジュール。
【請求項８】
前記配線領域、前記屈曲領域、前記素子領域及び前記結合領域が順に相互接続され、且つ前記接続領域、前記タッチ機能領域にそれぞれ接続される、請求項４又は５に記載のタッチディスプレイモジュール。
【請求項９】
さらに第２のＦＰＣを備え、
前記第２のＦＰＣが前記インセル型タッチディスプレイパネルの表示信号線に接続され、インセル型タッチディスプレイパネルの表示機能を実現することに用いられ、
前記第１のＦＰＣが前記結合領域の端子によって前記第２のＦＰＣに接続される、請求項４又は５に記載のタッチディスプレイモジュール。
【請求項１０】
前記インセル型タッチディスプレイパネルがインセル型液晶ディスプレイパネル又はインセル型有機発光ディスプレイパネルである、請求項１から５のいずれか一項に記載のタッチディスプレイモジュール。
【請求項１１】
請求項１から５のいずれか一項に記載のタッチディスプレイモジュールを備える電子ディスプレイ製品。
【発明の詳細な説明】
【技術分野】
【０００１】
本発明はタッチディスプレイモジュール及び電子ディスプレイ製品に関する。
【背景技術】
【０００２】
フレキシブル回路基板（ソフトプレート又はＦＰＣと略称）はポリイミド又はポリエステルフィルムを基材として製造された高信頼性、優れた可撓性を有するプリント回路基板であり、配線密度が高く、軽量で、厚みが小さいという特徴を有し、主に携帯電話、ノートパソコン、ＰＤＡ、デジタルカメラ等の製品に用いられる。
【０００３】
インセル型タッチディスプレイパネルを用いる一般的な携帯電話等の製品について、図１に示すように、主に、タッチＦＰＣ６６（インセル型液晶セルのタッチ信号に接続される）、キーＦＰＣ７７（キーのタッチ信号に接続される）、及びキーランプＦＰＣ８８（キーに光源を供給する）を備える。一般的には、タッチＦＰＣ６６及びキーＦＰＣ７７はモジュールメーカにより設計製造されてタッチディスプレイモジュールに組み立てられ、キーランプＦＰＣ８８は携帯電話メーカにより設計製造されてケースに組み立てられる。
【０００４】
現在、インセル型タッチディスプレイパネルを用いる携帯電話等の製品の更新がますます速くなる背景には、異なるメーカがそれぞれタッチＦＰＣ６６、キーＦＰＣ７７及びキーランプＦＰＣ８８を設計製造し、次に組み立てて、共にタッチ機能及びキー機能を実現するという方式は、低コスト、高生産効率の需要を満たすことができなくなっている。
【発明の概要】
【発明が解決しようとする課題】
【０００５】
本発明はタッチディスプレイモジュール及び電子ディスプレイ製品を提供し、元々独立して設置されたタッチＦＰＣ、キーＦＰＣを一体に集積することができ、材料コスト及び人件費を低減させ、生産効率を向上させる。
【課題を解決するための手段】
【０００６】
本発明の少なくとも1つの実施例はタッチディスプレイモジュールを提供し、インセル型タッチディスプレイパネルと第１のＦＰＣとを備え、前記第１のＦＰＣにタッチＦＰＣとキーＦＰＣとの機能が集積され、即ち、前記第１のＦＰＣはタッチＦＰＣ部とキーＦＰＣ部とを備え、前記タッチＦＰＣ部が前記インセル型タッチディスプレイパネルのタッチ信号線に接続され、インセル型タッチディスプレイパネルのタッチ機能を実現することに用いられ、前記キーＦＰＣ部が非表示領域のタッチキーのタッチ機能を実現することに用いられる。
【０００７】
例えば、前記第１のＦＰＣにさらにキーランプＦＰＣが集積され、即ち、前記第１のＦＰＣはさらにキーランプＦＰＣ部を備え、前記キーランプＦＰＣ部がキーランプと前記キーランプに接続される線路とを備える。
【０００８】
例えば、前記タッチディスプレイモジュールはさらに導光フィルムを備え、前記キーランプ及び前記導光フィルムが前記タッチキーに均一なバックライトを供給し、前記キーランプが導光フィルムの長辺側又は短辺側に設置される。
【０００９】
例えば、前記第１のＦＰＣは、相互接続される接続領域、タッチ機能領域、配線領域、屈曲領域、素子領域及び結合領域を備える。
【００１０】
例えば、前記接続領域内に前記インセル型タッチディスプレイパネルのタッチ信号線に接続された端子が設置され、前記タッチ機能領域内に前記タッチキーの機能モジュールが設置され、前記素子領域内にタッチチップ及び関連部品が設置され、前記結合領域内に信号を出力するための端子が設置される。
【００１１】
例えば、前記接続領域が前記タッチ機能領域の一側に設置される。
【００１２】
例えば、前記第１のＦＰＣは前記屈曲領域で折られ、前記素子領域をインセル型タッチディスプレイパネルの裏面に組み立てる。
【００１３】
例えば、前記配線領域、前記屈曲領域、前記素子領域及び前記結合領域は順に相互接続され、且つ前記接続領域、前記タッチ機能領域にそれぞれ接続される。
【００１４】
例えば、前記タッチディスプレイモジュールはさらに第２のＦＰＣを備え、前記第２のＦＰＣは前記インセル型タッチディスプレイパネルの表示信号線に接続され、インセル型タッチディスプレイパネルの表示機能を実現することに用いられ、前記第１のＦＰＣが前記結合領域の端子によって前記第２のＦＰＣに接続される。
【００１５】
例えば、前記インセル型タッチディスプレイパネルはインセル型液晶ディスプレイパネル又はインセル型有機発光ディスプレイパネルである。
【００１６】
本発明は上記いずれかのタッチディスプレイモジュールを備える電子ディスプレイ製品をさらに提供する。
【図面の簡単な説明】
【００１７】
本発明の実施例の技術案をより明確に説明するために、以下、実施例の図面を簡単に説明する。勿論、以下説明される図面は本発明のいくつかの実施例であり、本発明を限定するものではない。
【００１８】
【図１】携帯電話のインセル型タッチモジュールの断面模式図である。
【図２】本発明の実施例に係るタッチモジュールの構造１である。
【図３】図２に示される構造１のセカンダリＦＰＣの平面構造図１である。
【図４】図２に示される構造１のセカンダリＦＰＣの平面構造図２である。
【図５】本発明の実施例に係るタッチモジュールの構造２である。
【図６】図５に示される構造２のセカンダリＦＰＣの平面構造図１である。
【図７】図５に示される構造２のセカンダリＦＰＣの平面構造図２である。
【図８】本発明の実施例に係るタッチモジュールの構造３である。
【図９】図８に示される構造３のセカンダリＦＰＣの平面構造図である。
【図１０】本発明の実施例に係るタッチモジュールの構造４である。
【図１１】図１０に示される構造４のセカンダリＦＰＣの平面構造図である。
【発明を実施するための形態】
【００１９】
本発明の実施例の目的、技術案及び利点をより明確にするために、以下、本発明の実施例の図面を参照しながら、本発明の実施例の技術案を明確かつ完全に説明する。勿論、説明される実施例は本発明の一部の実施例であり、すべての実施例ではない。説明される本発明の実施例に基づき、当業者が進歩性のある労働を必要とせずに得られるほかの実施例は、いずれも本発明の保護範囲に属する。
【００２０】
ただし、本発明の実施例の以下の説明において、セカンダリＦＰＣは第１のＦＰＣで、プライマリＦＰＣは第２のＦＰＣである。
【００２１】
なお、特に断らない限り、明細書に使用される技術用語又は科学技術用語は、当業者が理解できる一般的な意味を有する。本願に使用される「第１」、「第２」及び類似する用語は、順序、数量や重要性を示すものではなく、異なる構成要素を区別するためのものにすぎない。
【００２２】
本発明の実施例はタッチディスプレイモジュール及び電子ディスプレイ製品を提供し、元々独立して設置されたタッチＦＰＣ、キーＦＰＣ及びキーランプＦＰＣを一体に集積することができ、又は製品設計にキーランプを備えなければ、タッチＦＰＣ、キーＦＰＣを一体に集積し、このようにして材料コスト及び人件費を低減させ、生産効率を向上させる。
【００２３】
本発明の実施例はタッチディスプレイモジュールを提供し、インセル型タッチディスプレイパネル及びセカンダリＦＰＣを備え、該セカンダリＦＰＣはタッチＦＰＣ部とキーＦＰＣ部とを備え、即ち、該セカンダリＦＰＣにタッチＦＰＣとキーＦＰＣとの機能が集積され、本実施例のセカンダリＦＰＣのタッチＦＰＣ部がインセル型タッチディスプレイパネルのタッチ信号線に接続され、インセル型タッチディスプレイパネルのタッチ機能を実現することに用いられ、本実施例のセカンダリＦＰＣのキーＦＰＣ部が非表示領域のタッチキーのタッチ機能を実現することに用いられる。
【００２４】
携帯電話、腕時計、タブレットパソコン、電子ブック、携帯情報端末等のタッチスクリーン端末装置に対して、主にタッチＦＰＣ、キーＦＰＣ及びキーランプＦＰＣを独立して設置するという方式を採用し、一般的に、タッチＦＰＣ及びキーＦＰＣはモジュールメーカにより設計製造されてタッチディスプレイモジュールに組み立てられ、キーランプＦＰＣは製品メーカにより設計製造されてケースに組み立てられる。本実施例のセカンダリＦＰＣにタッチＦＰＣとキーＦＰＣとの機能が集積され、且つ製品設計にさらにキーランプを備えれば、さらに、該セカンダリＦＰＣにキーランプＦＰＣが集積されてもよく、即ち、該セカンダリＦＰＣはさらにキーランプＦＰＣ部を備え、該キーランプＦＰＣ部がキーランプとキーランプに接続される線路とを備え、キーランプがタッチキーにバックライト光源を供給する。本発明の実施例に係るタッチディスプレイモジュールは、集積度が高く、且つ１回のみの組み立てを必要とし、材料コストと人件費を低減させ、生産効率を向上させる。
【００２５】
当業者に本発明の実施例に係るタッチディスプレイモジュールの構造をよりよく理解させるために、以下、携帯電話を例として、具体的な実施例によって本発明に係る技術案を詳しく説明する。理解しやすいために、以下の説明において対照とする技術案が記載される。
【００２６】
図１は携帯電話に適用できるタッチディスプレイモジュールであり、対照技術案として、主な構成部材はカバープレート１、インセル型タッチディスプレイパネル４（例えば、液晶セル、偏光板及びチップＩＣを備える液晶パネルであり、ＣＯＧＡと略称）、ディスプレイスクリーンバックライト光源５、プライマリＦＰＣ（図示せず、ディスプレイスクリーンの表示機能を実現することに用いられる）、タッチＦＰＣ６６、キーＦＰＣ７７及びキーランプＦＰＣ８８を備える。キーランプＦＰＣ８８はキーランプ３とキーランプに接続される線路とを備える。タッチディスプレイモジュールはさらに導光フィルム２を備え、キーランプ３及び導光フィルム２がタッチキーに均一なバックライトを供給する。図１に示される携帯電話のインセル型タッチモジュールの組み立て方式は、タッチＦＰＣ６６を液晶パネル（ＣＯＧＡ）に圧接し、キーＦＰＣ７７を導光フィルム２に接着し、次に溶接によって又はコネクターによってタッチＦＰＣ６６に接続し、キーランプＦＰＣ８８を独立して設計し、携帯電話のケースに独立して組み立て、次に溶接によって又はコネクターによって携帯電話のマザーボードに接続することである。
【００２７】
図２に示すように、本発明の一実施例に係る携帯電話に適用できるタッチディスプレイモジュールの構造１であり、主な構成部材はカバープレート１、インセル型タッチディスプレイパネル４（例えば、液晶セル、偏光板、及びチップＩＣを備える液晶パネル（ＣＯＧＡ））、ディスプレイスクリーンバックライト光源５、プライマリＦＰＣ（即ち、第２のＦＰＣ、図示せず）及びセカンダリＦＰＣ９（即ち、第１のＦＰＣ）を備える。セカンダリＦＰＣ９にタッチＦＰＣ、キーＦＰＣ及びキーランプＦＰＣの機能が集積され、即ち、セカンダリＦＰＣ９はタッチＦＰＣ部６、キーＦＰＣ部７及びキーランプＦＰＣ部８を備える。
【００２８】
例えば、タッチＦＰＣ部６はインセル型タッチディスプレイパネル４のタッチ信号線に接続され、インセル型タッチディスプレイパネル４のタッチ機能を実現することに用いられ、キーＦＰＣ部７は非表示領域のタッチキーのタッチ機能を実現することに用いられ、キーランプＦＰＣ部８はキーランプ３とキーランプ３に接続される線路とを備える。タッチディスプレイモジュールはさらに導光フィルム２を備え、キーランプ３及び導光フィルム２がタッチキーに均一なバックライトを供給する。
【００２９】
例えば、セカンダリＦＰＣ９にタッチＦＰＣ、キーＦＰＣ及びキーランプＦＰＣの機能が集積され、図３及び図４に示すように、セカンダリＦＰＣ９は、相互接続される接続領域９０、タッチ機能領域９１、配線領域９２、屈曲領域９３、素子領域９４及び結合領域９５を備える。接続領域９０内にインセル型タッチディスプレイパネル４のタッチ信号線に接続された端子が設置され、タッチ機能領域９１内にタッチキーの機能モジュールが設置され、素子領域９４内にタッチチップ及び関連部品が設置され、結合領域９５内に信号を出力するための端子が設置される。キーランプ３は、図３に示すように導光フィルム２の長辺側に設置されてもよく、図４に示すように導光フィルム２の短辺側に設置されてもよい。セカンダリＦＰＣ９は屈曲領域９３で折られ、素子領域９４をインセル型タッチディスプレイパネル４の裏面に組み立てる。
【００３０】
具体的に実施する際に、当業者は、実際の必要に応じて上記接続領域９０、タッチ機能領域９１、配線領域９２、屈曲領域９３、素子領域９４及び結合領域９５のセカンダリＦＰＣ９における分布位置を設定することができることを理解できるだろう。図３及び図４に示されることは解釈説明するためのものに過ぎず、制限するものではない。例えば、接続領域９０はタッチ機能領域９１の一側に設置され、例えば、タッチ機能領域９１の上方に設置され、配線領域９２、屈曲領域９３、素子領域９４及び結合領域９５は順に相互接続され、且つ接続領域９０、タッチ機能領域９１にそれぞれ接続される。接続領域９０及びタッチ機能領域９１から導出される線路が配線領域９２で配線され、次に素子領域９４及び結合領域９５に入る。
【００３１】
本発明の実施例は携帯電話用のタッチディスプレイモジュールを提供し、セカンダリＦＰＣ９はキーＦＰＣ部７、キーランプＦＰＣ部８及びタッチＦＰＣ部６を備え、即ち、キーＦＰＣ、キーランプＦＰＣ及びタッチＦＰＣを一体に集積してセカンダリＦＰＣ９が形成され、モジュールに組み立てられ、セカンダリＦＰＣ９におけるキー機能部が屈曲せず、組み立て工程を省くことができる。例えば、組み立て方法は、セカンダリＦＰＣ９とインセル型タッチディスプレイパネル４である液晶パネル（ＣＯＧＡ）とを圧接装置によって圧接し、カバープレート１と液晶パネル（セカンダリＦＰＣ９を圧接済み）とをＯＣＡ／ＯＣＲ／フレームグルーによって一体に圧接し、セカンダリＦＰＣ９をカバープレート１における導光フィルム２に接着し、キーランプ３（ＬＥＤ）をカバープレート１に接着することである。ここで、ＯＣＡ（Ｏｐｔｉｃａｌｌｙ  Ｃｌｅａｒ  Ａｄｈｅｓｉｖｅ）は固態光学用透明接着剤であり、ＯＣＲ（Ｏｐｔｉｃａｌｌｙ  Ｃｌｅａｒ  Ｒｅｓｉｎ）は液態光学用透明樹脂又は紫外線硬化樹脂であり、一般的にウォーターゲルと称され、液態光学用透明接着剤（ＬＯＣＡ、Ｌｉｑｕｉｄ  Ｏｐｔｉｃａｌｌｙ  Ｃｌｅａｒ  Ａｄｈｅｓｉｖｅ）とも称される。
【００３２】
図５に示すように、本発明の実施例に係る携帯電話に適用できるタッチディスプレイモジュールの構造２であり、主な構成部材は同様にカバープレート１、インセル型タッチディスプレイパネル４である液晶パネル、ディスプレイスクリーンバックライト光源５、プライマリＦＰＣ（図示せず）及びセカンダリＦＰＣ９を備える。セカンダリＦＰＣ９にタッチＦＰＣ、キーＦＰＣ及びキーランプＦＰＣの機能が集積され、即ち、セカンダリＦＰＣ９はキーＦＰＣ部７、キーランプＦＰＣ部８及びタッチＦＰＣ部６を備える。構造１との相違点は、本実施例に係るタッチモジュールがタッチ機能領域９１をセカンダリＦＰＣ９の正面（観察側）に屈曲させることである。図６及び図７に示すように、構造２のセカンダリＦＰＣ９の平面構造図であり、図６においてキーランプ３は導光フィルム２の短辺側に設置され、図７においてキーランプ３は導光フィルム２の長辺側に設置される。構造２の技術案はＡ．Ａ領域（即ち、表示領域）のエッジとタッチキーとの距離を短縮することができる。
【００３３】
例えば、組み立て方法は、セカンダリＦＰＣ９とインセル型タッチディスプレイパネル４である液晶パネルとを圧接装置によって圧接し、セカンダリＦＰＣ９のタッチ機能領域９１を折ってセカンダリＦＰＣ９本体に接着し、カバープレート１と液晶パネル（セカンダリＦＰＣ９を圧接済み）とをＯＣＡ／ＯＣＲ／フレームグルーによって一体に圧接し、セカンダリＦＰＣ９をカバープレート１における導光フィルム２に接着し、キーランプ３をカバープレート１に接着することである。
【００３４】
図８に示すように、本発明の実施例に係る携帯電話に適用できるタッチディスプレイモジュールの構造３であり、主な構成部材は同様にカバープレート１、インセル型タッチディスプレイパネル４である液晶パネル、ディスプレイスクリーンバックライト光源５、プライマリＦＰＣ１０及びセカンダリＦＰＣ９を備える。構造１との相違点は、本実施例に係るタッチディスプレイモジュールがキーランプを有せず、セカンダリＦＰＣ９にキーＦＰＣとタッチＦＰＣとの機能のみが集積され、即ち、セカンダリＦＰＣ９がキーＦＰＣ部７とタッチＦＰＣ部６とを備え、セカンダリＦＰＣ９のタッチ機能領域９１の部分が屈曲せず、キーランプを有しないインセル型タッチディスプレイモジュールに適用できることであり、組み立て工程を省き、材料コストを低減させることができる。
【００３５】
図９に示すように、構造３のセカンダリＦＰＣ９の平面構造図である。構造３の組み立て方法は、セカンダリＦＰＣ９と液晶パネルとを圧接装置によって圧接し、カバープレート１と液晶パネル（セカンダリＦＰＣ９圧接済み）とをＯＣＡ／ＯＣＲ／フレームグルーによって一体に圧接する。
【００３６】
図１０に示すように、本発明の実施例に係る携帯電話に適用できるタッチディスプレイモジュールの構造４であり、主な構成部材は同様にカバープレート１、インセル型タッチディスプレイパネル４である液晶パネル、ディスプレイスクリーンバックライト光源５、プライマリＦＰＣ１０及びセカンダリＦＰＣ９を備える。同様に、本実施例に係るタッチディスプレイモジュールはキーランプを有せず、セカンダリＦＰＣ９にキーＦＰＣとタッチＦＰＣとの機能のみが集積され、即ち、セカンダリＦＰＣ９がキーＦＰＣ部７とタッチＦＰＣ部６とを備え、キーランプを有しないインセル型タッチディスプレイモジュールに適用できる。
【００３７】
図１１に示すように、構造４のセカンダリＦＰＣの平面構造図である。構造３との相違点は、タッチ機能領域９１の部分がセカンダリＦＰＣ９の正面に屈曲されることである。最大限に材料コストを低減させ、Ａ．Ａ領域のエッジとタッチキーとの距離を短縮することができる。組み立て方法は、セカンダリＦＰＣ９と液晶パネルとを圧接装置によって圧接し、セカンダリＦＰＣ９のタッチ機能領域の部分を折ってセカンダリＦＰＣ９の本体に接着し、カバープレート１と液晶パネル（セカンダリＦＰＣを９圧接済み）とをＯＣＡ／ＯＣＲ／フレームグルーによって一体に圧接し、セカンダリＦＰＣ９をカバープレート１における導光フィルム２に接着することである。
【００３８】
さらに、上記タッチディスプレイモジュールに備えられるプライマリＦＰＣ１０（図８及び図１０を参照）はインセル型タッチディスプレイパネル４の表示信号線に接続され、インセル型タッチディスプレイパネル４の表示機能を実現することに用いられ、セカンダリＦＰＣ  ９は結合領域９５の端子によってプライマリＦＰＣに接続される。
【００３９】
さらに、本実施例は上記インセル型タッチディスプレイパネルの具体的な表示モードを限定せず、例えば、インセル型液晶ディスプレイパネルであってもよく、又はインセル型有機発光ディスプレイパネルであってもよい。
【００４０】
本発明の実施例の目的は具体的に携帯電話に適用できるタッチディスプレイモジュールを提供することであり、一般的なインセル型タッチディスプレイモジュールに比べて、本発明の実施例においてセカンダリＦＰＣ９が一体化設計を採用し、通常のインセル型タッチディスプレイモジュールのタッチＦＰＣ、キーＦＰＣ及びキーランプＦＰＣを集積し、又はタッチＦＰＣとキーＦＰＣのみを集積し、合理的な組み立てによって従来のモジュールと同じ機能を実現する。
【００４１】
本発明の実施例は、ＦＰＣの数を効果的に減少させることができ、ＦＰＣのコストを削減するとともに、組み立て工程を減少させ、生産効率と歩留りを効果的に向上させることができるという効果を有する。
【００４２】
ただし、本発明の実施例の技術案は携帯電話のＦＰＣ設計に適用できるだけでなく、腕時計、タブレットパソコン、電子ブック、携帯情報端末等のタッチスクリーン端末装置のＦＰＣ設計に適用できる。
【００４３】
本発明の実施例のセカンダリＦＰＣにはタッチＦＰＣ、キーＦＰＣ及びキーランプＦＰＣの機能が集積されるが、その具体的な外形が実例に限定されず、セカンダリＦＰＣが他の規則的な図形又は不規則な図形に設計されてもよく、ＬＥＤの数及び配置位置の具体的な状況に応じて変更してもよく、同様に、セカンダリＦＰＣにおける素子レイアウト、配線設計等は具体的な状況に応じて変更してもよく、上記の説明に限定されない。
【００４４】
本発明の実施例はさらに上記いずれかのタッチディスプレイモジュールを備える電子製品を提供する。本発明の実施例に係る電子製品は集積度が高く、コストが低い。表示装置は、液晶ディスプレイ、電子ペーパー、ＯＬＥＤディスプレイ、携帯電話、腕時計、タブレットパソコン、テレビ、ディスプレイ、ノートパソコン、デジタルフォトフレーム、ナビゲータ等のいずれかの表示機能を有する製品又は部材であってもよい。
【００４５】
本明細書における各実施例は漸進的方式で説明され、各実施例の同じ又は類似する部分は互いに参照することができる。
【００４６】
本発明の実施例に係るタッチディスプレイモジュール及び電子ディスプレイ製品は、元々独立して設置されたタッチＦＰＣ、キーＦＰＣ及びキーランプＦＰＣを一体に集積し、又は製品設計にキーランプを備えなければ、タッチＦＰＣ、キーＦＰＣを一体に集積し、それにより材料コストを低減させるとともに、生産の組み立て工程に対して、独立するタッチＦＰＣ、キーＦＰＣ及びキーランプＦＰＣを採用すれば、３回の組み立てを必要とし、且つ異なるメーカにより組み立てられ、本発明の実施例は１つの一体化されたセカンダリＦＰＣに簡略化され、このようにして１回のみの組み立てを必要とし、人件費を低減させ、生産効率を向上させる。
【００４７】
本発明の保護範囲は特許請求の範囲を基準とすべきである。
【００４８】
本願は、２０１４年１１月１０日に出願された中国特許出願番号２０１４１０６４５３８１．９の優先権を主張し、ここで、上記中国特許出願に開示されている内容の全体が本願の一部として援用される。
【符号の説明】
【００４９】
１  カバープレート
２  導光フィルム
３  キーランプ
４  インセル型タッチディスプレイパネル
５  バックライト光源
６  タッチＦＰＣ部
７  キーＦＰＣ部
８  キーランプＦＰＣ部
９  セカンダリＦＰＣ（第１のＦＰＣ）
１０  プライマリＦＰＣ（第２のＦＰＣ）
６６  タッチＦＰＣ
７７  キーＦＰＣ
８８  キーランプＦＰＣ
９０  接続領域
９１  タッチ機能領域
９２  配線領域
９３  屈曲領域
９４  素子領域
９５  結合領域
【図１】
0006510664.tif 000002
【図２】
0006510664.tif 000003
【図３】
0006510664.tif 000004
【図４】
0006510664.tif 000005
【図５】
0006510664.tif 000006
【図６】
0006510664.tif 000007
【図７】
0006510664.tif 000008
【図８】
0006510664.tif 000009
【図９】
0006510664.tif 000010
【図１０】
0006510664.tif 000011
【図１１】
0006510664.tif 000012